(57)【要約】【課題】簡単な操作でアクチュエータボタンをチートロックすると共に、治具の外し忘れによるスイッチ等の破損を防止する。【解決手段】インターロックスイッチ２０は、ケース２１、アクチュエータボタン２２、ボタンガード２３および端子２４から構成される。このスイッチ２０はチートロック機構を有する。アクチュエータボタン２２の先端部には孔２５が形成される。治具は、先端部に鉤状部を有し、この鉤状部はアクチュエータボタン２２の孔２５に係合する。アクチュエータボタン２２をチートロックする場合は、治具の鉤状部をアクチュエータボタン２２の孔２５に差し込み、治具を引っ張ることにより、アクチュエータボタン２２がチートロックされる。【選択図】　　　図１
2004039374.tif 000002
【特許請求の範囲】
【請求項１】
安全インターロック回路を構成し、ボタンを引き出して通電状態とするチートロック機構と、ボタンをガードするボタンガードを有するインターロックスイッチにおいて、
治具に形成された係合部に着脱可能に係合する被係合部を前記ボタンの先端部に設け、
治具の係合部がボタンの被係合部に係合した後治具により引き出されることによりボタンがチートロックされることを特徴とするインターロックスイッチ。
【請求項２】
前記係合部は鉤状部であり、前記被係合部は孔である請求項１記載のインターロックスイッチ。
【請求項３】
前記係合部は治具を引き出すだけで前記被係合部から外れる請求項１記載のインターロックスイッチ。
【請求項４】
安全インターロック回路を構成し、ボタンを引き出して通電状態とするチートロック機構と、ボタンをガードするボタンガードを有するインターロックスイッチにおいて、
一端部が前記ボタンに係合する回動可能な板状部材を設け、
前記板状部材の他端部を前記ボタンが引き出される方向の逆方向に押されることにより前記ボタンがチートロックされることを特徴とするインターロックスイッチ。
【発明の詳細な説明】
【０００１】
【発明の属する技術分野】
本発明は、情報処理機器の安全規格ＪＥＩＤＡ−３７または国際規格ＩＥＣや北米安全規格ＵＬなどの安全規格に適合させる装置に使用する安全インターロックスイッチに関する。
【０００２】
【従来の技術】
従来、情報処理機器の安全規格に適合させる装置は、ＪＥＩＤＡ−３７やＩＥＣ６０９５０あるいはＵＬ１９５０の２．８項などの安全規格を取得したスイッチを用いて安全インターロック回路を構成している。スイッチには２種類があり、一つは所謂セイフティドアスイッチで、図３７、図３８に示す。図３７、図３８において、セイフティドアスイッチ１は、ケース２と端子３およびアクチュエータボタン４とで構成される。アクチュエータボタン４が通常の位置にあるとき、即ち外部から力が加えられていない時は、内部にある接点はオープンの状態にあり、端子間は通電しない。アクチュエータボタン４を押すと、接点がクローズの状態になり、端子間が通電状態となる。
【０００３】
このセイフティドアスイッチ１は、装置の組立調整時や保守時に、端子間を通電状態にしたい場合があり、このようなときにアクチュエータボタン４を引っ張ると端子間が通電状態のままロックされる。この動作をチートロックと呼んでいる。
【０００４】
もう一つのスイッチは、インターロックスイッチと呼ばれるもので、図３９、図４０、図４１に示す。これらの図において、インターロックスイッチ５は、ケース６、端子７、ボタン８およびボタンガード９で構成され、付属品として治具１０が使用される。ボタン８が通常の位置にあるときは、接点がオープンの状態で、端子間は通電状態にはない。ボタン８を押下すると、接点がクローズの状態になり、端子間は通電状態になる。
【０００５】
装置の組立調整時や保守時に、端子間を通電状態にしたい場合は、治具１０を用いる。治具１０の端部には凸部１１が形成されており、治具１０の先端部でボタン８を押した状態で、この凸部１１をボタンガード９に形成された孔１２に係合させることにより、ボタン８を押した状態に保持することができる。
【０００６】
【発明が解決しようとする課題】
しかしながら上記従来のスイッチにおいては、次のような問題があった。セイフティドアスイッチにおいては、安全規格の２．８項の「試験指で操作できないこと」という規定を満足させるために、使用する装置側で試験指で操作できないようなガードを具備する必要がある。試験指で操作できないようなガードを具備すると、調整時や保守時にボタンを引き出すのが困難である。
【０００７】
またインターロックスイッチの場合は、チートロック機構を持っていないので、調整時や保守時に、治具をスイッチに付けたままにした通電状態にしておく。そのために、調整あるいは保守が終了した後に治具を取り外すことを忘れて装置の扉や蓋を閉めると、治具またはスイッチあるいは装置を破損する惧れがあった。
【０００８】
【課題を解決するための手段】
上記課題を解決するために本発明は、安全インターロック回路を構成し、ボタンを引き出して通電状態とするチートロック機構と、ボタンをガードするボタンガードを有するインターロックスイッチにおいて、治具に形成された係合部に着脱可能に係合する被係合部を前記ボタンの先端部に設け、治具の係合部がボタンの被係合部に係合した後治具により引き出されることによりボタンがチートロックされるようにしたものである。
【０００９】
前記係合部を鉤状部とし、前記被係合部を孔で構成するようにしてもよい。また前記係合部を治具を引き出すだけで前記被係合部から外れるような構成にすると、さらに簡単にチートロックができる。
【００１０】
また他の発明として、安全インターロック回路を構成し、ボタンを引き出して通電状態とするチートロック機構と、ボタンをガードするボタンガードを有するインターロックスイッチにおいて、一端部が前記ボタンに係合する回動可能な板状部材を設け、前記板状部材の他端部を前記ボタンが引き出される方向の逆方向に押されることにより前記ボタンがチートロックされるように構成してもよい。
【００１１】
【発明の実施の形態】
以下、本発明の実施の形態を図面にしたがって説明する。なお各図面に共通する要素には同一の符号を付す。図１は本発明の第１の実施の形態のインターロックスイッチを示す側面図、図２は第１の実施の形態のインターロックスイッチを示す正面図である。
【００１２】
両図において、第１の実施の形態のインターロックスイッチ２０は、ケース２１、アクチュエータボタン２２、ボタンガード２３および端子２４から構成されている。このスイッチ２０はチートロック機構を有する。ボタンガード２３は、アクチュエータボタン２２の両側に設けられ、試験指がアクチュエータボタン２２に触れられないだけの幅と高さを有している。アクチュエータボタン２２の先端部には孔２５が形成されている。図３は治具を示す。図３において、治具２６は、先端部に鉤状部２７を有する。この鉤状部２７はアクチュエータボタン２２の孔２５に係合する形状である。
【００１３】
アクチュエータボタン２２をチートロックする場合は、治具２６の鉤状部２７をアクチュエータボタン２２の孔２５に差し込み、治具２６を図１における上方に引っ張ることにより、アクチュエータボタン２２が引っ張られ、通電状態でロックされる。チートロックされた後、治具２６の鉤状部２７を孔２５から外し、治具２６をアクチュエータボタン２２から取り外す。
【００１４】
以上のように第１の実施の形態によれば、装置組立調整時や保守時に治具２６を用いてアクチュエータボタン２２を引っ張ることにより、簡単にチートロックすることができるとともに、チートロックした後は治具２６を取り外すことができるので、調整または保守後の治具の外し忘れによる装置またはスイッチまたは治具の破損が起こることはない。
【００１５】
次に本発明の第２の実施の形態を説明する。図４は第２の実施の形態のインターロックスイッチを示す側面図、図５は第２の実施の形態のインターロックスイッチを示す正面図である。
【００１６】
両図において、第２の実施の形態のインターロックスイッチ３０は、ケース３１、アクチュエータボタン３２、ボタンガード３３および端子３４から構成されている。アクチュエータボタン３２は、先端部３２ａに丸みを持たせてあり、先端部３２ａの元部に縊れ部３２ｂを形成している。縊れ部３２ｂと先端部３２ａとの間は引っ掛かりのない曲面を形成している。第２の実施の形態のスイッチ３０もチートロック機構を有する。
【００１７】
図６は第２の実施の形態で使用する治具を示す。図６において、治具３５は、基本的にピンセットのようにアクチュエータボタン３２の先端部３２ａを摘むことができるような構造となっている。即ち、治具３５の先端部３５ａは、くの字形をしており、このくの字形の内側でアクチュエータボタン３２の先端部３２ａを挟む。また治具３５の先端部３５ａは開閉方向に弾力性をもっており、この弾力性でアクチュエータボタン３２の先端部３２ａを挟む。治具３５の先端部３５ａの開いている間隔は所定の値に設定されている。
【００１８】
次に第２の実施の形態の動作を説明する。図７および図８は第２の実施の形態の動作を示す動作説明図である。ここではインターロックスイッチ３０をチートロックさせる動作を説明する。
【００１９】
まず、図７（ａ）に示すように、治具３５の先端部３５ａをアクチュエータボタン３２の先端部３２ａに押し付ける。押し付けられると、アクチュエータボタン３２はケース３１の中に押し込まれる。治具３５の先端部３５ａがアクチュエータボタン３２の先端部３２ａを更に押し付けると、図７（ｂ）に示すように、治具３５の先端部３５ａがアクチュエータボタン３２の先端部３２ａの形状に沿って開く。更に押し付けると、図７（ｃ）に示すように、治具３５の先端部３５ａがアクチュエータボタン３２の先端部３２ａを挟む。
【００２０】
この状態で今度は、図７（ｄ）に示すように、治具３５を引き抜く方向に移動させる。これによりアクチュエータボタン３２は引き上げられてチートロックする。アクチュエータボタン３２はチートロックしたらそれ以上は移動しないので、治具３５をさらに引っ張ることにより、図８（ａ）に示すように、治具３５の先端部３５ａが開いて、図８（ｂ）に示すように、アクチュエータボタン３２の先端部３２ａから外れる。
【００２１】
以上のように第２の実施の形態では、治具３５をアクチュエータボタン３２に対して、最初は押し付けて縊れ部３２ｂに先端部３５ａを係合させ次に引き出すという簡単な動作だけで、即ち、アクチュエータボタン３２との係合を解除するための特別の動作をすることなく、アクチュエータボタン３２を引き出してチートロックさせることができる。またアクチュエータボタン３２から治具３５を引き離すことでチートロックが行われるので、治具３５をアクチュエータボタン３２に係合させたまま取り忘れることがなく、治具やスイッチの破損の心配はない。
【００２２】
図９は第２の実施の形態の第１の変形例を示す側面図、図１０はこの第１の変形例のインターロックスイッチを示す正面図である。
【００２３】
両図において、第１の変形例のインターロックスイッチ４０は、ケース４１、アクチュエータボタン４２、ボタンガード４３および端子４４から構成されている。アクチュエータボタン４２の先端部４２ａには、嵌入部４２ｂが形成され、その両側に係止部４２ｃが形成されている。係止部４２ｃには内側に突出した突起４２ｄが設けられている。第１の変形例のスイッチ４０もチートロック機構を有する。
【００２４】
図１１は第１の変形例で使用する治具を示す。図１１において、治具４５は、基本的にピンセットのように開閉方向に弾力性をもつ先端部４５ａを有する。また治具４５の先端部４５ａの外側には突起部４５ｂが形成されている。
【００２５】
次に第１の変形例の動作を説明する。図１２および図１３は第１の変形例の動作を示す動作説明図である。ここではインターロックスイッチ４０をチートロックさせる動作を説明する。
【００２６】
まず、図１２（ａ）に示すように、治具４５の先端部４５ａをアクチュエータボタン４２の先端部４２ａに押し付ける。押し付けられると、アクチュエータボタン４２はケース４１の中に押し込まれる。治具４５の先端部４５ａがアクチュエータボタン４２の係止部４２ｃに接触すると、図１２（ｂ）に示すように、治具４５の先端部４５ａが狭められ、更に押し付けると、図１２（ｃ）に示すように、治具４５の先端部４５ａがアクチュエータボタン４２の嵌入部４２ｂに嵌入していく。さらに先端部４５ａの突起部４５ｂが係止部４２ｃの突起部４２ｄより下側に入り込むと、閉じられていた治具４５の先端部４５ａが開き、治具４５は係止部４２ｃにより嵌入部４２ｂに係止される。なお治具４５をアクチュエータボタン４２の先端部４２ａに押し付ける際に、予め先端部４５ａを窄めるようにして嵌入部４２ｂに嵌入させるようにしてもよい。
【００２７】
この状態で今度は、図１３（ａ）に示すように、治具４５を引き抜く方向に移動させる。これによりアクチュエータボタン４２は同方向に引き出されてチートロックする。アクチュエータボタン４２はチートロックしたらそれ以上は移動しないので、治具４５をさらに引っ張ることにより、図１３（ｂ）に示すように、治具４５の先端部４５ａが係止部４２ｃの突起部４２ｄにより狭められ、図１３（ｃ）に示すように、アクチュエータボタン４２の嵌入部４２ｂから抜け出る。
【００２８】
以上のように第１の変形例では、前記第２の実施の形態と同様に、治具４５をアクチュエータボタン４２に対して、最初は押し付けて次に引っ張るという簡単な動作だけで、アクチュエータボタン４２をチートロックさせることができるとともに、治具４５をアクチュエータボタン４２に係合させたまま取り忘れることがなく、治具やスイッチの破損の心配はない。また、前記第２の実施の形態では治具の先端部が開く分のスペースを確保しなければならないのに対して、第１の変形例では、治具４５の先端部４５ａを閉じるようにしてアクチュエータボタン４２の先端部４２ａに係合させるようにしたので、治具４５の動作用のスペースを確保する必要がない。
【００２９】
図１４は第２の実施の形態の第２の変形例を示す側面図、図１５はこの第２の変形例のインターロックスイッチを示す正面図である。
【００３０】
両図において、第２の変形例のインターロックスイッチ５０は、ケース５１、アクチュエータボタン５２、ボタンガード５３および端子５４から構成されている。アクチュエータボタン５２の先端部５２ａには、金属５５が装着されている。第２の変形例のスイッチ５０もチートロック機構を有する。図１６は第２の変形例で使用する治具を示す。図１６において、治具５６の先端部には、永久磁石５７が取り付けられている。
【００３１】
次に第２の変形例の動作を説明する。図１７および図１８は第２の変形例の動作を示す動作説明図である。ここではインターロックスイッチ５０をチートロックさせる動作を説明する。
【００３２】
まず、図１７（ａ）、（ｂ）に示すように、治具５６の永久磁石５７側をアクチュエータボタン５２の先端部に向き合わせ、近付ける。治具５６の永久磁石５７がアクチュエータボタン５２の金属５５に当接すると、永久磁石５７の磁力により金属５５が吸着される。その後治具６を上方に引き上げることにより、図１８（ａ）に示すように、アクチュエータボタン５２は治具５６とともに上方へ移動し、これによりアクチュエータボタン５２はチートロックする。
【００３３】
アクチュエータボタン５２はチートロックしたらそれ以上は移動しないので、治具５６を引っ張ることにより、図１８（ｂ）に示すように、治具５６の永久磁石５７が金属５５から離れ、アクチュエータボタン５２はチートロックの状態に維持される。
【００３４】
以上のように第２の変形例では、前記第２の実施の形態と同様に、治具５６をアクチュエータボタン５２に対して、最初は押し付けて次に引っ張るという簡単な動作だけで、アクチュエータボタン５２をチートロックさせることができるとともに、治具５６をアクチュエータボタン５２に係合させたまま取り忘れることがなく、治具やスイッチの破損の心配はない。また、前記第２の実施の形態および前記第１の変形例ではアクチュエータボタンの先端部および治具の先端部を凝った加工を施さなければならないのに対して、第２の変形例では、治具４５の先端部およびアクチュエータボタン５２の先端部５２ａに永久磁石または金属と取り付けるだけでよいので、構造が単純で加工が容易である。
【００３５】
図１９は第２の実施の形態の第３の変形例を示す側面図、図２０はこの第３の変形例のインターロックスイッチを示す正面図である。
【００３６】
両図において、第３の変形例のインターロックスイッチ６０は、ケース６１、アクチュエータボタン６２、ボタンガード６３および端子６４から構成されている。アクチュエータボタン６２の先端部６２ａには、第２の変形例と同様に、金属６５が装着されている。そして第３の変形例のスイッチ５０もチートロック機構を有する。図２１は第３の変形例で使用する治具を示す。図２１において、治具６６の先端部には、電磁石６７が取り付けられている。電磁石６７は電源部６８とスイッチ６９に接続されており、スイッチ６９を閉成させることにより電磁石として機能する。
【００３７】
次に第３の変形例の動作を説明する。図２２および図２３は第３の変形例の動作を示す動作説明図である。ここではインターロックスイッチ６０をチートロックさせる動作を説明する。
【００３８】
まず、図２２（ａ）、（ｂ）に示すように、治具６６ので電磁石６７側をアクチュエータボタン５２の先端部に向き合わせ、近付ける。そして図２２（ｃ）に示すように、スイッチ６９をオンさせることにより、磁力が発生し、アクチュエータボタン６２の金属６５が吸着される。そして図２３（ａ）に示すように、治具６６を引っ張ることによりアクチュエータボタン６２は引っ張られ、チートロックする。
【００３９】
アクチュエータボタン６２がチートロックしたら、図２３（ｂ）に示すように、スイッチ６９をオフし、アクチュエータボタン６２の吸着を解除する。そして図２３（ｃ）に示すように、治具６６をアクチュエータボタン６２から引き離すことにより動作は終了する。アクチュエータボタン６２はチートロックの状態に維持される。
【００４０】
以上のように第３の変形例では、前記第２の変形例と同様の効果を奏するが、それに加えて、第２の変形例に対して次の効果を奏する。即ち、第２の変形例では治具５６に永久磁石を取り付けているので、常に磁力を出しており、スイッチ５０の近くに金属がある場合、その金属と引き合ってしまい、操作性が悪い。これに対して第３の変形例では、治具６６に電磁石を使用しているので、アクチュエータボタン６２を引っ張るときだけ磁力を発生させることができ、操作性が向上する。
【００４１】
図２４は第２の実施の形態の第４の変形例を示す側面図、図２５はこの第４の変形例のインターロックスイッチを示す正面図である。
【００４２】
両図において、第４の変形例のインターロックスイッチ７０は、ケース７１、アクチュエータボタン７２、ボタンガード７３および端子７４から構成されている。アクチュエータボタン７２の先端部には、金属７５が装着されている。第２の変形例のスイッチ７０もチートロック機構を有する。
【００４３】
図２６は第４の変形例で使用する治具を示す。図２６において、治具７６は永久磁石７７と支持部７８と金属部７９とから構成される。永久磁石７７は支持部７８に固定され、金属部７９は支持部７８に対して一定範囲でスライド可能となっている。
【００４４】
次に第４の変形例の動作を説明する。図２７および図２８は第４の変形例の動作を示す動作説明図である。ここではインターロックスイッチ７０をチートロックさせる動作を説明する。
【００４５】
まず、図２７（ａ）、（ｂ）に示すように、治具７６の永久磁石７７側をアクチュエータボタン７２の先端部に向き合わせ、近付ける。このとき金属部７９は永久磁石７７から離れた状態にある。金属部７９がアクチュエータボタン７２の金属７５に接触した後、治具７６を更に押し込むことにより金属部７９をスライドさせ、図２７（ｃ）に示すように、金属部７９と永久磁石７７を接触させる。これにより金属部７９が磁力を持ち、その磁力でアクチュエータボタン７２の金属７５が吸着される。
【００４６】
次に治具７６を引っ張ることにより、図２８（ａ）に示すように、アクチュエータボタン７２が引っ張られ、これによりアクチュエータボタン５２はチートロックする。アクチュエータボタン５２はチートロックしたらそれ以上は移動しないので、治具５６をさらに引っ張ることにより、図２８（ｂ）に示すように、治具５６の金属部７９がアクチュエータボタン７２の金属７５と吸着状態を保ったままスライドすることにより永久磁石７７から離れる。これにより金属部７９の磁力が消され、さらに治具７６を引っ張ることにより治具７６は容易にアクチュエータボタン７２から離れる。
【００４７】
以上のように第４の変形例では、前記第３の変形例と同様の効果を奏するが、それに加えて、第３の変形例に対して次の効果を奏する。即ち、第３の変形例では電磁石を動作させるために電源が必要となるが、第４の変形例においては、治具７６に永久磁石を搭載し、この永久磁石に離接可能にスライドする金属部を設けたので、アクチュエータボタン７２を引っ張るときだけ磁力を発生させるのに電源を必要としないで行うことができる。
【００４８】
次に本発明の第３の実施の形態を説明する。図２９は第３の実施の形態のインターロックスイッチを示す側面図、図３０は第３の実施の形態のインターロックスイッチを示す正面図、図３１は第３の実施の形態のインターロックスイッチを示す平面図である。
【００４９】
図において、第３の実施の形態のインターロックスイッチ８０は、ケース８１、アクチュエータボタン８２、ボタンガード８３および端子８４から構成されている。ケース８１の上面部８１ａには、図３１に示すように、孔８５が形成されている。
【００５０】
図３２はインターロックスイッチ８０の内部を示す構造図である。図３２において、ケース８１の上面部８１ａの下方には、板状部材８６が支点軸８７を中心に回動可能に設けられている。支点軸８７はケース８１の側壁に支持されている。板状部材８６の一端部８６ａは、アクチュエータボタン８２に形成された凸部８２ｂの下部に位置している。また板状部材８６の他端部８６ｂは、孔８５の下方に位置している。
【００５１】
アクチュエータボタン８２の下部にはスプリング８８が設けられ、このスプリング８８は、押し込まれてオンになったアクチュエータボタン８２を押上げてオフの状態にする役割を果たす。またスイッチ８０の内部には可動片８９が設けられ、詳しい説明は省略するが、アクチュエータボタン８２の上下動により、この可動片８９が動作して端子８４ａと端子８４ｂの間を接続したり、あるいは切断したりする。
【００５２】
次に第３の実施の形態の動作を説明する。図３３および図３４は第３の実施の形態の動作を示す動作説明図である。ここではインターロックスイッチ８０をチートロックさせる動作を説明する。
【００５３】
装置の調整あるいは保守を行う前は、図３３（ａ）に示すようになっている。即ち、板状部材８６の一端部８６ａがアクチュエータボタン８２の凸部８２ｂの下部に位置している。この状態から、図３３（ｂ）に示すように、ドライバー９０等の棒状部材をケース８１の孔８５から挿入する。挿入されたドライバー９０は図３３（ｃ）に示すように、板状部材８６の他端部８６ｂ当接し、これを押し下げる。これにより板状部材８６は支点軸８７を中心に図３３（ｃ）における反時計回り方向に回転し、一端部８６ａがアクチュエータボタン８２を押し上げる。
【００５４】
ドライバー９０を更に深く挿入すると、図３４（ａ）に示すように、アクチュエータボタン８２はさらに押し上げられ、チートロックする。アクチュエータボタン８２はチートロックしたら位置が固定されるので、図３４（ｂ）に示すように、ドライバー９０を引き抜いてもチートロックの位置で保持される。
【００５５】
上記実施の形態では棒状部材としてドライバー９０を用いた場合を説明したが、棒状部材はドライバーに限らず、孔８５に挿入可能な部材であればよいことは云うまでもない。第３の実施の形態では、特殊な形状に加工した、あるいは専用の部材を用いなくても、単なる棒状の部材を用いるだけで、アクチュエータボタンをチートロックすることが可能となり、より簡単なチートロック手段を提供できる。
【００５６】
次に第３の実施の形態に係るスイッチを情報処理装置に装着した場合のスイッチの動作について説明する。図３５、図３６は第３の実施の形態のスイッチの使用例を示す動作説明図である。
【００５７】
図３５（ａ）において、情報処理装置９２は筐体９３を有し、筐体９３には扉９４が開閉可能に取り付けられている。扉９４には爪９５が取り付けられており、爪９５は、扉９４が閉じられたときにスイッチ８０の２枚のボタンガード８３の間に入り込み、アクチュエータボタン８２に当接する位置に設けられている。
【００５８】
図３５（ａ）は情報処理装置９２の通常動作時の状態を示し、この状態では、扉９４が閉じられ、アクチュエータボタン８２は爪９５により押し込まれた状態になっている。この状態でスイッチ８０はオン状態で、装置９２は動作可能な状態である。
【００５９】
装置９２の調整や保守とするために扉９４を開けると、図３５（ｂ）に示すように、爪９５がアクチュエータボタン８２から離れ、アクチュエータボタン８２は上述したスプリングにより押し上げられ、オフ状態に位置が固定される。この状態では、装置９２は、アクチュエータボタン８２のオフにより動作しない。そして図３６（ａ）に示すように、扉９４を開いた状態で、ドライバー９０のような棒状部材で上述したように板状部材を回転させ、アクチュエータボタン８２をチートロックさせる。
【００６０】
これによりスイッチ８０はオン状態となり、情報処理装置９２は、扉９４が開いたまま動作可能な状態となる。したがって扉９４を開けた状態で情報処理装置９２を動作させ、装置９２の調整または保守が可能となる。
【００６１】
装置９２の調整または保守が終了すると、扉９４が閉じられる。扉９４を示す際、図３６（ｂ）に示すように、爪９５がアクチュエータボタン８２を押し下げ、図３５（ａ）に示す状態になり、装置９２を動作可能の状態にする。
【００６２】
以上のように扉９４の開くと自動的に情報処理装置９２の動作は停止し、装置の調整または保守が終了して扉９４を閉じると装置９２は自動的に正常動作に復帰する。
【００６３】
【発明の効果】
以上詳細に説明したように本発明によれば、治具に形成された係合部に着脱可能に係合する被係合部をアクチュエータボタンの先端部に設け、治具の係合部をボタンの被係合部に係合した後治具を抜くことによりアクチュエータボタンをチートロックさせるようにしたので、簡単にチートロックすることができるとともに、装置の調整または保守後の治具の外し忘れによる装置またはスイッチまたは治具の破損がない。
【図面の簡単な説明】
【図１】第１の実施の形態のインターロックスイッチを示す側面図である。
【図２】第１の実施の形態のインターロックスイッチを示す正面図である。
【図３】第１の実施の形態で使用する治具を示す正面図である。
【図４】第２の実施の形態のインターロックスイッチを示す側面図である。
【図５】第２の実施の形態のインターロックスイッチを示す正面図である。
【図６】第２の実施の形態で使用する治具を示す正面図である。
【図７】第２の実施の形態の動作を示す動作説明図である。
【図８】第２の実施の形態の動作を示す動作説明図である。
【図９】第２の実施の形態の第１の変形例を示す側面図である。
【図１０】第１の変形例のインターロックスイッチを示す正面図である。
【図１１】第１の変形例で使用する治具を示す側面図である。
【図１２】第１の変形例の動作を示す動作説明図である。
【図１３】第１の変形例の動作を示す動作説明図である。
【図１４】第２の実施の形態の第２の変形例を示す側面図である。
【図１５】第２の変形例のインタロックスイッチを示す正面図である。
【図１６】第２の変形例で使用する治具を示す正面図である。
【図１７】第２の変形例の動作を示す動作説明図である。
【図１８】第２の変形例の動作を示す動作説明図である。
【図１９】第２の実施の形態の第３の変形例を示す側面図である。
【図２０】第３の変形例のインタロックスイッチを示す正面図である。
【図２１】第３の変形例で使用する治具を示す正面図である。
【図２２】第３の変形例の動作を示す動作説明図である。
【図２３】第３の変形例の動作を示す動作説明図である。
【図２４】第２の実施の形態の第４の変形例を示す側面図である。
【図２５】第４の変形例のインタロックスイッチを示す正面図である。
【図２６】第４の変形例で使用する治具を示す正面図である。
【図２７】第４の変形例の動作を示す動作説明図である。
【図２８】第４の変形例の動作を示す動作説明図である。
【図２９】第３の実施の形態のインターロックスイッチを示す側面図である。
【図３０】第３の実施の形態のインターロックスイッチを示す正面図である。
【図３１】第３の実施の形態のインターロックスイッチを示す平面図である。
【図３２】第３の実施の形態のインターロックスイッチの内部を示す構造図である。
【図３３】第３の実施の形態の動作を示す動作説明図である。
【図３４】第３の実施の形態の動作を示す動作説明図である。
【図３５】第３の実施の形態のスイッチの使用例を示す動作説明図である。
【図３６】第３の実施の形態のスイッチの使用例を示す動作説明図である。
【図３７】従来のインターロックスイッチを示す側面図である。
【図３８】従来のインターロックスイッチを示す正面図である。
【図３９】従来のインターロックスイッチを示す側面図である。
【図４０】従来のインターロックスイッチを示す正面図である。
【図４１】従来の治具を示す図である。
【符号の説明】
２０、３０、４０、５０、６０、７０、８０　インターロックスイッチ
２２、３２、４２、５２、６２、７２、８２　アクチュエータボタン
２３、３３、４３、５３、６３、７３、８３　ボタンガード
２５　孔
３２ａ、４２ａ　先端部
２６、３５、４５、５６、６６、７６　治具
２７　鉤状部
３５ａ、４５ａ　先端部
５５、６５、７５　金属
５７、７７　永久磁石
６７　電磁石
７９　金属部
８５　孔
８６　板状部材
【図１】
2004039374.tif 000003
【図２】
2004039374.tif 000004
【図３】
2004039374.tif 000005
【図４】
2004039374.tif 000006
【図５】
2004039374.tif 000007
【図６】
2004039374.tif 000008
【図７】
2004039374.tif 000009
【図８】
2004039374.tif 000010
【図９】
2004039374.tif 000011
【図１０】
2004039374.tif 000012
【図１１】
2004039374.tif 000013
【図１２】
2004039374.tif 000014
【図１３】
2004039374.tif 000015
【図１４】
2004039374.tif 000016
【図１５】
2004039374.tif 000017
【図１６】
2004039374.tif 000018
【図１７】
2004039374.tif 000019
【図１８】
2004039374.tif 000020
【図１９】
2004039374.tif 000021
【図２０】
2004039374.tif 000022
【図２１】
2004039374.tif 000023
【図２２】
2004039374.tif 000024
【図２３】
2004039374.tif 000025
【図２４】
2004039374.tif 000026
【図２５】
2004039374.tif 000027
【図２６】
2004039374.tif 000028
【図２７】
2004039374.tif 000029
【図２８】
2004039374.tif 000030
【図２９】
2004039374.tif 000031
【図３０】
2004039374.tif 000032
【図３１】
2004039374.tif 000033
【図３２】
2004039374.tif 000034
【図３３】
2004039374.tif 000035
【図３４】
2004039374.tif 000036
【図３５】
2004039374.tif 000037
【図３６】
2004039374.tif 000038
【図３７】
2004039374.tif 000039
【図３８】
2004039374.tif 000040
【図３９】
2004039374.tif 000041
【図４０】
2004039374.tif 000042
【図４１】
2004039374.tif 000043